(57)【要約】【課題】加熱調理器の調理部に配置され加熱調理された食品の状態を、加熱調理器の外部環境下において確認する。【解決手段】制御プログラムは、表示部２６を備えるコンピュータで実行され、外部の加熱調理器３を制御する。制御プログラムは、加熱調理器３へ加熱調理の制御に関する制御情報を送信して、加熱調理器３の調理部に関する調理部情報を取得して、加熱調理器３の外部環境の撮影に関連する環境情報を取得して、加熱調理器３の調理部に配置された調理対象物の画像である第１画像を取得して、制御情報、調理部情報、環境情報および第１画像に基づき、加熱調理された調理対象物の外部環境下における画像である第２画像を生成して、第２画像を表示部２６に表示させる。【選択図】図２
2014077581.tif 000002
【特許請求の範囲】
【請求項１】
表示部を備えるコンピュータで実行される、外部の加熱調理器を制御する制御プログラムであって、
前記加熱調理器へ加熱調理の制御に関する第１制御情報を送信して、
前記加熱調理器の調理部に関する調理部情報を取得して、
前記加熱調理器の外部環境の撮影に関連する環境情報を取得して、
前記加熱調理器の前記調理部に配置された調理対象物の画像である第１画像を取得して、
前記第１制御情報、前記調理部情報、前記環境情報および前記第１画像に基づき、加熱調理された前記調理対象物の前記外部環境下における画像である第２画像を生成して、
前記第２画像を前記表示部に表示させることを特徴とする制御プログラム。
【請求項２】
表示部を備え、通信ネットワークを介して外部の情報処理装置と通信可能に構成された情報処理端末のコンピュータで実行される、外部の加熱調理器を制御する制御プログラムであって、
前記加熱調理器へ加熱調理の制御に関する制御情報を送信して、
前記加熱調理器の調理部に関する調理部情報を取得して、
前記加熱調理器の外部環境の撮影に関連する環境情報を取得して、
前記加熱調理器の前記調理部に配置された調理対象物の画像である第１画像を取得して、
前記情報処理装置へ、前記制御情報、前記調理部情報、前記環境情報及び前記第１画像を送信して、
前記制御情報、前記調理部情報、前記環境情報および前記第１画像に基づき、前記情報処理装置により生成された、加熱調理された前記調理対象物の前記外部環境下における画像である第２画像を前記情報処理装置から受信して、
受信した前記第２画像を前記表示部に表示させることを特徴とする制御プログラム。
【請求項３】
前記コンピュータはさらに撮影部を備え、
前記制御プログラムは、
前記第１画像を、前記撮影部に前記加熱調理器の外部から前記調理部に配置された前記調理対象物を撮影させることにより取得することを特徴とする請求項１または２記載の制御プログラム。
【請求項４】
前記第１画像を、前記加熱調理器に設けられた撮影部により撮影された前記調理対象物の画像を、前記加熱調理器から受信することにより取得することを特徴とする請求項１または２記載の制御プログラム。
【請求項５】
前記調理部情報は、前記加熱調理器に設けられ前記調理対象物を照明する光源に関する光源情報を含むことを特徴とする請求項１〜４のいずれか１項に記載の制御プログラム。
【請求項６】
前記第１画像は、前記加熱調理器による加熱調理が完了する前の前記調理対象物の画像であることを特徴とする請求項１〜５のいずれか１項に記載の制御プログラム。
【請求項７】
前記第２画像は、前記加熱調理器による加熱調理が完了したときの前記調理対象物の画像を予測して生成されることを特徴とする請求項１〜６のいずれか１項に記載の制御プログラム。
【請求項８】
さらに、前記第２画像に基づいて加熱調理の制御に関する第２制御情報を生成し、前記生成された第２制御情報を前記加熱調理器へ送信することを特徴とする請求項７記載の制御プログラム。
【請求項９】
前記コンピュータは、通信ネットワークに接続された複数のコンピュータで構成されるコンピュータであり、
前記制御プログラムは、前記複数のコンピュータで分散して実行されることを特徴とする請求項１〜８のいずれか１項に記載の制御プログラム。
【請求項１０】
通信ネットワークを介して外部の情報処理端末にプログラムを送信する機能を備える情報処理装置であって、
前記プログラムは、請求項１〜９のいずれか１項に記載の制御プログラムであることを特徴とする情報処理装置。
【請求項１１】
請求項９に記載の制御プログラムを備える情報処理端末と通信ネットワークを介して通信可能に構成された情報処理装置であって、
前記情報処理端末から送信された前記制御情報、前記調理部情報、前記環境情報及び前記第１画像を受信する受信部と、
受信した前記制御情報、前記調理部情報、前記環境情報および前記第１画像に基づき、加熱調理された前記調理対象物の前記外部環境下における画像である第２画像を生成する画像生成部と、
生成した前記第２画像を前記情報処理端末に送信する送信部と、
を備えることを特徴とする情報処理装置。
【請求項１２】
外部の加熱調理器に加熱調理の制御に関する制御情報を送信する送信部と、
前記加熱調理器の調理部に関する調理部情報を取得する第１取得部と、
前記加熱調理器の外部環境の撮影に関連する環境情報を取得する第２取得部と、
前記加熱調理器の前記調理部に配置された調理対象物の画像である第１画像を取得する第３取得部と、
前記制御情報、前記調理部情報、前記環境情報および前記第１画像に基づき、加熱調理された前記調理対象物の前記外部環境下における画像である第２画像を生成する画像生成部と、
前記第２画像を表示する表示部と、
を備えることを特徴とする情報処理端末。
【請求項１３】
請求項１２に記載の情報処理端末と通信可能に構成された加熱調理器であって、
前記情報処理端末から送信された前記制御情報を受信する受信部と、
受信した前記制御情報に基づき、前記調理対象物を加熱調理する調理部と、
前記調理部に関する前記調理部情報を前記情報処理端末に送信する送信部と、
を備えることを特徴とする加熱調理器。
【請求項１４】
調理対象物を加熱調理する加熱調理器と、前記加熱調理器と通信可能に構成された情報処理端末とを備える加熱調理システムであって、
前記加熱調理器は、
前記情報処理端末から送信される加熱調理の制御に関する制御情報を受信する第１受信部と、
受信した前記制御情報に基づき、前記調理対象物を加熱調理する調理部と、
前記調理部に関する調理部情報を前記情報処理端末に送信する第１送信部と、
を含み、
前記情報処理端末は、
前記加熱調理器に前記制御情報を送信する第２送信部と、
前記加熱調理器から送信された前記調理部情報を受信して取得する第１取得部と、
前記加熱調理器の外部環境の撮影に関連する環境情報を取得する第２取得部と、
前記加熱調理器の前記調理部に配置された調理対象物の画像である第１画像を取得する第３取得部と、
前記制御情報、前記調理部情報、前記環境情報および前記第１画像に基づき、加熱調理された前記調理対象物の前記外部環境下における画像である第２画像を生成する画像生成部と、
前記第２画像を表示する表示部と、
を含むことを特徴とする加熱調理システム。
【請求項１５】
前記加熱調理器は、その表面に所定の基準色で覆われた基準領域を有し、
前記情報処理端末は、
前記基準領域を撮影する撮影部と、
前記基準色に関する基準情報を取得する第４取得部と、
をさらに含み、
前記第２取得部は、前記撮影部により前記基準領域が撮影された撮影画像と前記基準情報とに基づき、前記環境情報を取得することを特徴とする請求項１４記載の加熱調理システム。
【発明の詳細な説明】
【技術分野】
【０００１】
本発明は、通信を利用して加熱調理器を制御する情報処理端末等の制御プログラム、情報処理装置、情報処理端末、当該情報処理端末により通信を利用して制御される加熱調理器、情報処理端末と加熱調理器とを備える加熱調理システム及び上記制御プログラムをダウンロード可能に備える情報処理装置に関するものである。
【背景技術】
【０００２】
従来、電子レンジと携帯電話機とを通信可能にして構成した加熱調理システムが知られている（特許文献１参照）。この特許文献１では、電子レンジは、携帯電話機から加熱情報を赤外線信号により受信可能に構成されている。携帯電話機は、食品に付されたＱＲコード（登録商標）をカメラ機能で読み取り、食品情報を抽出する。食品情報に対応する電子レンジの加熱条件が加熱情報としてデータサーバに記憶されている。携帯電話機によりインターネットを介して加熱情報を取得し、これを赤外線信号で電子レンジに送信している。
【先行技術文献】
【特許文献】
【０００３】
【特許文献１】特開２００６−２７５４８９号公報
【発明の概要】
【発明が解決しようとする課題】
【０００４】
電子レンジや、グリルヒーターなどの加熱調理器は、食品を加熱する調理部が閉空間のため、加熱調理中の様子が見づらい。加熱調理中は、台所などの外部環境の照明光と異なる色の光源により食品が照明される。例えばヒーターの通電により食品が赤色光により照明される。このため、食品の調理状態を見るための覗き窓があっても、焼き加減などが実際の調理状態と違う色に見える。そのため、加熱調理の開始時に設定していた加熱電力及び加熱時間などにより加熱調理が終了したときに、期待通りの調理完了状態になるかどうかが分からない。このような問題について、上記特許文献１では十分に考慮されていない。
【０００５】
本開示は、上記の問題を解決するためになされたもので、加熱調理器の調理部に配置され加熱調理された食品の状態を、加熱調理器の外部環境下において確認することが可能な制御プログラム、情報処理装置、情報処理端末、加熱調理器及び加熱調理システムを提供することを目的とする。
【課題を解決するための手段】
【０００６】
本開示の一局面に係る制御プログラムは、表示部を備えるコンピュータで実行される、外部の加熱調理器を制御する制御プログラムであって、前記加熱調理器へ加熱調理の制御に関する第１制御情報を送信して、前記加熱調理器の調理部に関する調理部情報を取得して、前記加熱調理器の外部環境の撮影に関連する環境情報を取得して、前記加熱調理器の前記調理部に配置された調理対象物の画像である第１画像を取得して、前記第１制御情報、前記調理部情報、前記環境情報および前記第１画像に基づき、加熱調理された前記調理対象物の前記外部環境下における画像である第２画像を生成して、前記第２画像を前記表示部に表示させる。
【０００７】
この構成によれば、制御プログラムは、表示部を備えるコンピュータで実行され、外部の加熱調理器を制御する。加熱調理の制御に関する第１制御情報が、外部の加熱調理器へ送信される。加熱調理器の調理部に関する調理部情報が取得される。加熱調理器の外部環境の撮影に関連する環境情報が取得される。加熱調理器の調理部に配置された調理対象物の画像である第１画像が取得される。制御情報、調理部情報、環境情報および第１画像に基づき、加熱調理された調理対象物の外部環境下における画像である第２画像が生成される。表示部に第２画像が表示される。したがって、表示部に表示された第２画像によって、ユーザは、調理対象物の調理状態を確認することができる。その結果、加熱調理器の使い勝手を向上することができる。また、ユーザの利便性を高めることができる。
【０００８】
本開示の一局面に係る制御プログラムは、表示部を備え、通信ネットワークを介して外部の情報処理装置と通信可能に構成された情報処理端末のコンピュータで実行される、外部の加熱調理器を制御する制御プログラムであって、前記加熱調理器へ加熱調理の制御に関する制御情報を送信して、前記加熱調理器の調理部に関する調理部情報を取得して、前記加熱調理器の外部環境の撮影に関連する環境情報を取得して、前記加熱調理器の前記調理部に配置された調理対象物の画像である第１画像を取得して、前記情報処理装置へ、前記制御情報、前記調理部情報、前記環境情報及び前記第１画像を送信して、前記制御情報、前記調理部情報、前記環境情報および前記第１画像に基づき、前記情報処理装置により生成された、加熱調理された前記調理対象物の前記外部環境下における画像である第２画像を前記情報処理装置から受信して、受信した前記第２画像を前記表示部に表示させる。
【０００９】
この構成によれば、情報処理端末は、表示部を備え、通信ネットワークを介して外部の情報処理装置と通信可能に構成されている。制御プログラムは、情報処理端末のコンピュータで実行され、外部の加熱調理器を制御する。加熱調理器へ加熱調理の制御に関する制御情報が送信される。加熱調理器の調理部に関する調理部情報が取得される。加熱調理器の外部環境の撮影に関連する環境情報が取得される。加熱調理器の調理部に配置された調理対象物の画像である第１画像が取得される。制御情報、調理部情報、環境情報及び第１画像が、情報処理装置へ送信される。制御情報、調理部情報、環境情報および第１画像に基づき、情報処理装置により生成された、加熱調理された調理対象物の外部環境下における画像である第２画像が、受信される。表示部に、受信された第２画像が表示される。したがって、表示部に表示された第２画像によって、ユーザは、調理対象物の調理状態を確認することができる。その結果、加熱調理器の使い勝手を向上することができる。また、ユーザの利便性を高めることができる。また、第２画像の生成が外部の情報処理装置で行われるため、情報処理端末の処理負荷を低減することができる。
【００１０】
また、上記の制御プログラムにおいて、前記コンピュータはさらに撮影部を備え、前記制御プログラムは、前記第１画像を、前記撮影部に前記加熱調理器の外部から前記調理部に配置された前記調理対象物を撮影させることにより取得するとしてもよい。
【００１１】
この構成によれば、撮影部に加熱調理器の外部から調理部に配置された調理対象物を撮影させることにより、第１画像が取得される。したがって、例えば撮影部が標準装備されている機器を使用することにより、専用の撮影部を別途設けることなく、簡易な構成で、第１画像を取得することができる。
【００１２】
また、上記の制御プログラムにおいて、前記第１画像を、前記加熱調理器に設けられた撮影部により撮影された前記調理対象物の画像を、前記加熱調理器から受信することにより取得するとしてもよい。
【００１３】
この構成によれば、加熱調理器に設けられた撮影部により撮影された調理対象物の画像を加熱調理器から受信することにより、第１画像が取得される。したがって、加熱調理器に設けられた撮影部が使用されるため、調理部に配置された調理対象物を直接撮影することができる。その結果、第１画像を好適に取得することができる。
【００１４】
また、上記の制御プログラムにおいて、前記調理部情報は、前記加熱調理器に設けられ前記調理対象物を照明する光源に関する光源情報を含むとしてもよい。
【００１５】
この構成によれば、調理部情報には、加熱調理器に設けられ調理対象物を照明する光源に関する光源情報が含まれる。したがって、画像生成部は、光源情報と環境情報とに基づき、加熱調理器の調理部に配置された調理対象物の画像である第１画像から、調理対象物の外部環境下における画像を好適に生成することができる。
【００１６】
また、上記の制御プログラムにおいて、前記第１画像は、前記加熱調理器による加熱調理が完了する前の前記調理対象物の画像であるとしてもよい。
【００１７】
この構成によれば、第１画像は、加熱調理器による加熱調理が完了する前の調理対象物の画像である。このため、例えば加熱調理の開始前に調理対象物の画像を取得することができる。
【００１８】
また、上記の制御プログラムにおいて、前記第２画像は、前記加熱調理器による加熱調理が完了したときの前記調理対象物の画像を予測して生成されるとしてもよい。
【００１９】
この構成によれば、第２画像は、加熱調理器による加熱調理が完了したときの調理対象物の画像が予測されて、生成される。したがって、表示部に表示された第２画像によって、ユーザは、加熱調理が完了したときの調理対象物の状態を確認することができる。その結果、加熱調理器の使い勝手を向上することができる。また、ユーザの利便性を高めることができる。
【００２０】
また、上記の制御プログラムにおいて、さらに、前記第２画像に基づいて加熱調理の制御に関する第２制御情報を生成し、前記生成された第２制御情報を前記加熱調理器へ送信するとしてもよい。
【００２１】
この構成によれば、さらに、第２画像に基づいて加熱調理の制御に関する第２制御情報が生成され、生成された第２制御情報が加熱調理器に送信される。したがって、加熱調理が完了したときの調理対象物の状態が不十分である場合でも、調理対象物に対して追加の加熱調理を行うことができる。その結果、加熱調理器の使い勝手をさらに向上することができる。また、ユーザの利便性をさらに高めることができる。
【００２２】
また、上記の制御プログラムにおいて、前記コンピュータは、通信ネットワークに接続された複数のコンピュータで構成されるコンピュータであり、前記制御プログラムは、前記複数のコンピュータで分散して実行されるとしてもよい。
【００２３】
この構成によれば、コンピュータは、通信ネットワークに接続された複数のコンピュータで構成されるコンピュータである。制御プログラムは、複数のコンピュータで分散して実行される。したがって、各コンピュータにおける処理負荷が過大になるのを避けることができる。
【００２４】
本開示の一局面に係る情報処理装置は、通信ネットワークを介して外部の情報処理端末にプログラムを送信する機能を備える情報処理装置であって、前記プログラムは、上記の制御プログラムである。
【００２５】
この構成によれば、情報処理装置は、通信ネットワークを介して外部の情報処理端末にプログラムを送信する機能を備える。プログラムは、上記制御プログラムであるため、情報処理端末は、上記情報処理装置から上記制御プログラムをダウンロードする（受信する）ことにより、加熱調理器の使い勝手を向上することができる。また、ユーザの利便性を高めることができる。
【００２６】
本開示の一局面に係る情報処理装置は、上記の制御プログラムを備える情報処理端末と通信ネットワークを介して通信可能に構成された情報処理装置であって、前記情報処理端末から送信された前記制御情報、前記調理部情報、前記環境情報及び前記第１画像を受信する受信部と、受信した前記制御情報、前記調理部情報、前記環境情報および前記第１画像に基づき、加熱調理された前記調理対象物の前記外部環境下における画像である第２画像を生成する画像生成部と、生成した前記第２画像を前記情報処理端末に送信する送信部と、を備える。
【００２７】
この構成によれば、情報処理装置は、上記制御プログラムを備える情報処理端末と通信ネットワークを介して通信可能に構成されている。情報処理端末から送信された制御情報、調理部情報、環境情報及び第１画像が、受信部により受信される。受信された制御情報、調理部情報、環境情報および第１画像に基づき、加熱調理された調理対象物の外部環境下における画像である第２画像が、画像生成部により、生成される。生成された第２画像が、送信部により、情報処理端末に送信される。したがって、表示部に表示された第２画像によって、ユーザは、調理対象物の調理状態を確認することができる。その結果、加熱調理器の使い勝手を向上することができる。また、ユーザの利便性を高めることができる。また、第２画像の生成が情報処理装置で行われるため、情報処理端末の処理負荷を低減することができる。
【００２８】
本開示の一局面に係る情報処理端末は、外部の加熱調理器に加熱調理の制御に関する制御情報を送信する送信部と、前記加熱調理器の調理部に関する調理部情報を取得する第１取得部と、前記加熱調理器の外部環境の撮影に関連する環境情報を取得する第２取得部と、前記加熱調理器の前記調理部に配置された調理対象物の画像である第１画像を取得する第３取得部と、前記制御情報、前記調理部情報、前記環境情報および前記第１画像に基づき、加熱調理された前記調理対象物の前記外部環境下における画像である第２画像を生成する画像生成部と、前記第２画像を表示する表示部と、を備える。
【００２９】
この構成によれば、加熱調理の制御に関する制御情報が、送信部により外部の加熱調理器に送信される。第１取得部により、加熱調理器の調理部に関する調理部情報が取得される。第２取得部により、加熱調理器の外部環境の撮影に関連する環境情報が取得される。第３取得部により、加熱調理器の調理部に配置された調理対象物の画像である第１画像が取得される。制御情報、調理部情報、環境情報および第１画像に基づき、加熱調理された調理対象物の外部環境下における画像である第２画像が、画像生成部により生成される。表示部により第２画像が表示される。したがって、表示部に表示された第２画像によって、ユーザは、調理対象物の調理状態を確認することができる。その結果、加熱調理器の使い勝手を向上することができる。また、ユーザの利便性を高めることができる。
【００３０】
本開示の一局面に係る加熱調理器は、上記の情報処理端末と通信可能に構成された加熱調理器であって、前記情報処理端末から送信された前記制御情報を受信する受信部と、受信した前記制御情報に基づき、前記調理対象物を加熱調理する調理部と、前記調理部に関する前記調理部情報を前記情報処理端末に送信する送信部と、を備える。
【００３１】
この構成によれば、加熱調理器は、上記情報処理端末と通信可能に構成されている。情報処理端末から送信された制御情報が、受信部により受信される。受信された制御情報に基づき、調理部により、調理対象物が加熱調理される。調理部に関する調理部情報が、送信部により、情報処理端末に送信される。したがって、情報処理端末の表示部に表示された第２画像によって、ユーザは、調理対象物の調理状態を確認することができる。その結果、加熱調理器の使い勝手を向上することができる。また、ユーザの利便性を高めることができる。
【００３２】
本開示の一局面に係る加熱調理システムは、調理対象物を加熱調理する加熱調理器と、前記加熱調理器と通信可能に構成された情報処理端末とを備える加熱調理システムであって、前記加熱調理器は、前記情報処理端末から送信される加熱調理の制御に関する制御情報を受信する第１受信部と、受信した前記制御情報に基づき、前記調理対象物を加熱調理する調理部と、前記調理部に関する調理部情報を前記情報処理端末に送信する第１送信部と、を含み、前記情報処理端末は、前記加熱調理器に前記制御情報を送信する第２送信部と、前記加熱調理器から送信された前記調理部情報を受信して取得する第１取得部と、前記加熱調理器の外部環境の撮影に関連する環境情報を取得する第２取得部と、前記加熱調理器の前記調理部に配置された調理対象物の画像である第１画像を取得する第３取得部と、前記制御情報、前記調理部情報、前記環境情報および前記第１画像に基づき、加熱調理された前記調理対象物の前記外部環境下における画像である第２画像を生成する画像生成部と、前記第２画像を表示する表示部と、を含む。
【００３３】
この構成によれば、加熱調理システムは、調理対象物を加熱調理する加熱調理器と、加熱調理器と通信可能に構成された情報処理端末とを備える。情報処理端末から送信される加熱調理の制御に関する制御情報が、加熱調理器の第１受信部により受信される。受信された制御情報に基づき、加熱調理器の調理部により、調理対象物が加熱調理される。調理部に関する調理部情報が、第１送信部により、情報処理端末に送信される。情報処理端末の第２送信部により、加熱調理器に制御情報が送信される。加熱調理器から送信された調理部情報が情報処理端末の第１取得部により受信されて取得される。加熱調理器の外部環境の撮影に関連する環境情報が、情報処理端末の第２取得部により取得される。加熱調理器の調理部に配置された調理対象物の画像である第１画像が、情報処理端末の第３取得部により取得される。制御情報、調理部情報、環境情報および第１画像に基づき、加熱調理された調理対象物の外部環境下における画像である第２画像が、情報処理端末の画像生成部により生成される。第２画像が、情報処理端末の表示部に表示される。したがって、表示部に表示された第２画像によって、ユーザは、調理対象物の調理状態を確認することができる。その結果、加熱調理器の使い勝手を向上することができる。また、ユーザの利便性を高めることができる。
【００３４】
また、上記の加熱調理システムにおいて、前記加熱調理器は、その表面に所定の基準色で覆われた基準領域を有し、前記情報処理端末は、前記基準領域を撮影する撮影部と、前記基準色に関する基準情報を取得する第４取得部と、をさらに含み、前記第２取得部は、前記撮影部により前記基準領域が撮影された撮影画像と前記基準情報とに基づき、前記環境情報を取得するとしてもよい。
【００３５】
この構成によれば、加熱調理器は、その表面に所定の基準色で覆われた基準領域を有する。加熱調理器の基準領域が、情報処理端末の撮影部により撮影される。基準色に関する基準情報が、情報処理端末の第４取得部により取得される。撮影部により基準領域が撮影された撮影画像と、基準情報とに基づき、情報処理端末の第２取得部により、環境情報が取得される。したがって、環境情報を好適に取得することができる。
【発明の効果】
【００３６】
本開示によれば、加熱調理された調理対象物の外部環境下における画像である第２画像が表示部により表示されるため、表示部に表示された第２画像によって、ユーザは、調理対象物の調理状態を確認することができる。その結果、加熱調理器の使い勝手を向上することができる。また、ユーザの利便性を高めることができる。
【図面の簡単な説明】
【００３７】
【図１】通信システム全体を概略的に示す図である。
【図２】第１実施形態の携帯端末の電気的構成を示すブロック図である。
【図３】第１実施形態の電子レンジの電気的構成を示すブロック図である。
【図４】携帯端末により撮影された食品を模式的に示す図である。
【図５】画像処理により生成された食品の画像を模式的に示す図である。
【図６】第１実施形態の携帯端末の動作を示すフローチャートである。
【図７】第１実施形態の電子レンジの動作を示すフローチャートである。
【図８】第２実施形態の携帯端末の電気的構成を示すブロック図である。
【図９】第２実施形態の電子レンジの電気的構成を示すブロック図である。
【図１０】第２実施形態の携帯端末の動作を示すフローチャートである。
【図１１】第２実施形態の電子レンジの動作を示すフローチャートである。
【図１２】第３実施形態の携帯端末の動作を示すフローチャートである。
【図１３】第３実施形態の電子レンジの動作を示すフローチャートである。
【図１４】第４実施形態の携帯端末の電気的構成を示すブロック図である。
【図１５】第４実施形態の携帯端末の動作を示すフローチャートである。
【図１６】第４実施形態におけるアプリケーションサーバの画像処理部の動作を示すフローチャートである。
【図１７】第５実施形態の携帯端末の電気的構成を示すブロック図である。
【図１８】第５実施形態の電子レンジの電気的構成を示すブロック図である。
【図１９】第５実施形態の電子レンジの外観を概略的に示す斜視図である。
【図２０】第５実施形態の携帯端末の動作を示すフローチャートである。
【図２１】携帯端末の制御プログラムのダウンロードに関連する構成の一例を示すブロック図である。
【図２２】携帯端末の動作を示すフローチャートである。
【図２３】プログラムサーバの動作を示すフローチャートである。
【発明を実施するための形態】
【００３８】
以下添付図面を参照しながら、本開示の実施の形態について説明する。なお、以下の実施の形態は、本開示の具体的な一例であって、本開示の技術的範囲を限定する性格のものではない。
【００３９】
（通信システム）
図１は、通信システム全体を概略的に示す図である。通信システム１は、携帯端末２、電子レンジ３、アプリケーションサーバ４、プログラムサーバ５を備える。携帯端末２と電子レンジ３とは、例えば無線通信により、互いに通信可能に構成されている。携帯端末２は、電子レンジ３に制御情報等を送信する。携帯端末２は、電子レンジ３から送信される調理部情報等を受信する。携帯端末２は、アプリケーションサーバ４、プログラムサーバ５と、通信ネットワーク６を介して通信可能に構成されている。アプリケーションサーバ４と、プログラムサーバ５とは、同一のサーバであってもよい。
【００４０】
（第１実施形態）
図２は、第１実施形態の携帯端末２の電気的構成を示すブロック図である。図３は、第１実施形態の電子レンジ３の電気的構成を示すブロック図である。図４は、携帯端末２により撮影された食品を模式的に示す図である。図５は、画像処理により生成された食品の画像を模式的に示す図である。図２〜図５を用いて、携帯端末２及び電子レンジ３の構成が説明される。
【００４１】
携帯端末２は、図２に示されるように、操作部２１、送信部２２、撮影部２３、受信部２４、画像処理部２５、表示部２６を備える。携帯端末２は、本実施形態では例えば、いわゆるスマートフォンなどの携帯電話機である。電子レンジ３は、図３に示されるように、受信部３１、調理部３２、調理制御部３３、調理部情報取得部３５、送信部３６を備える。携帯端末２は、例えば無線通信により電子レンジ３と通信する。
【００４２】
図２において、操作部２１は、ユーザによって操作され、電子レンジ３の加熱調理を制御する制御情報を設定する。ユーザは、例えばレシピに基づき操作部２１を操作して、加熱電力６００Ｗ、加熱時間５分などの制御情報を設定する。ユーザが、レシピを選択することにより、自動的に制御情報が設定されてもよい。操作部２１は、設定された制御情報（第１制御情報の一例に相当）を送信部２２及び画像処理部２５に出力する。操作部２１は、さらに、ユーザによって操作され、調理部情報の取得を指示する指示信号を生成する。操作部２１は、生成した指示信号を送信部２２に出力する。
【００４３】
送信部２２は、操作部２１により設定された制御情報を電子レンジ３に送信する。また、送信部２２は、操作部２１から出力された調理部情報の取得を指示する指示信号を電子レンジ３に送信する。撮影部２３は、ユーザによって操作されて、電子レンジ３を開閉する外蓋に設けられた窓を通して、電子レンジ３に配置された食品を撮影する。撮影部２３が撮影した画像は、画像処理部２５により、表示部２６に表示される。
【００４４】
電子レンジ３に配置された食品は、電子レンジ３に設けられた光源またはヒーターにより照明されている。このため、図４に示されるように、食品７は、外部環境とは異なる色で、かつ多少暗い画像として、携帯端末２の表示部２６に表示される。撮影部２３は、例えば加熱調理開始時の食品を撮影する。なお、撮影部２３は、加熱調理開始前または加熱調理開始後の食品を撮影してもよい。撮影部２３は、撮影した画像を、撮影に関する情報とともに画像処理部２５に出力する。
【００４５】
受信部２４は、電子レンジ３から送信される調理部情報等を受信する。受信部２４は、受信した情報を画像処理部２５に出力する。画像処理部２５は、撮影部２３により撮影された画像に対して、例えば電子レンジ３の窓に設けられた電波漏れ防止のためのメッシュを除去する処理を行って、処理後の画像を表示部２６に出力する。また、画像処理部２５は、撮影部２３により撮影された画像から、例えば加熱調理が完了した時点での食品の外部環境下における画像を生成する。画像処理部２５の機能は、後に詳述される。表示部２６は、例えば液晶表示パネルを備え、画像処理部２５から出力された画像を表示する。
【００４６】
図３において、受信部３１は、携帯端末２から送信された制御情報を受信する。受信部３１は、受信した制御情報を調理制御部３３に出力する。受信部３１は、携帯端末２から送信された調理部情報取得の指示信号を受信する。受信部３１は、受信した指示信号を調理部情報取得部３５に出力する。
【００４７】
調理部３２は、食品を加熱調理するためのものである。調理部３２は、食品が配置される調理空間を含む。調理部３２は、例えばマグネトロンやヒーター等の加熱源を有する。調理部３２に配置された食品は、例えばマグネトロンによりマイクロ波が照射されて加熱調理される。
【００４８】
調理制御部３３は、受信部３１により受信された制御情報に基づき、調理部３２の例えばマグネトロンの出力電力や加熱時間を制御する。
【００４９】
調理部情報取得部３５は、例えば不揮発性メモリを含む。調理部情報取得部３５は、調理部３２に関する調理部情報を保存する。調理部情報は、例えば調理部３２に配置された食品を照明する光源に関する光源情報を含む。光源情報は、調理部３２に配置された食品の色を電子レンジ３の外部環境下で見たときの色に変換する際に用いるデータである。光源情報は、本実施形態では例えば、標準光源に変換するためのＲ，Ｇ，Ｂの各値の補正係数である。すなわち、この光源で照明された対象物を撮影して得られた画像のＲ，Ｇ，Ｂの各値に、それぞれ補正係数を乗算すると、標準光源で照明された対象物の画像が得られる。調理部情報取得部３５は、保存している調理部情報を送信部３６に出力する。
【００５０】
送信部３６は、調理部情報取得部３５から出力された調理部情報を携帯端末２に向けて送信する。なお、調理制御部３３は、調理部３２を制御する制御内容を送信部３６に出力してもよい。そして、送信部３６は、調理制御部３３から出力された制御内容を送信してもよい。
【００５１】
図２に戻って、画像処理部２５は、例えば不揮発性メモリを有し、一般的な台所の蛍光灯の情報を環境情報として保持する。この環境情報は、本実施形態では例えば、標準光源で照明された画像から上記蛍光灯で照明された画像に変換するためのＲ，Ｇ，Ｂの各値の補正係数である。すなわち、標準光源で照明された対象物を撮影して得られた画像のＲ，Ｇ，Ｂの各値に、それぞれ補正係数を乗算すると、上記蛍光灯で照明された対象物の画像が得られる。画像処理部２５は、保持している環境情報を取得する。
【００５２】
画像処理部２５は、操作部２１により設定された制御情報、電子レンジ３から送信された調理部情報、画像処理部２５が取得した環境情報に基づき、調理部３２に配置された食品７の、撮影部２３により撮影された画像から、例えば加熱調理が完了した時点での食品７の外部環境下における画像を生成する。
【００５３】
具体的には、画像処理部２５は、電子レンジ３から送信された調理部情報と、取得した環境情報とに基づき、まず、撮影部２３により撮影された食品７の画像を、電子レンジ３の外部環境下でユーザが見た場合の画像に変換する。
【００５４】
画像処理部２５は、例えば、撮影部２３により撮影された食品７の画像におけるＲ，Ｇ，Ｂの各値に対して、光源情報の補正係数を乗算して、標準光源で照明された食品７の画像に変換する。画像処理部２５は、さらに、標準光源で照明された食品７の画像におけるＲ，Ｇ，Ｂの各値に対して、環境情報の補正係数を乗算して、上記蛍光灯で照明された食品７の画像に変換する。これによって、電子レンジ３の外部環境下でユーザが見た場合の変換画像が得られる。
【００５５】
画像処理部２５は、続いて、この変換画像から、加熱調理が完了した時点での食品７の調理状態における食品７の画像を生成する。画像処理部２５は、加熱調理が完了した時点での食品７の調理状態における画像を生成する際に、操作部２１により設定された制御情報と、食品調理用のデータベースとを用いる。
【００５６】
この食品調理用のデータベースは、制御情報が入力されると、加熱調理開始前の状態から加熱調理完了の状態に変化する食品の色の変化度合いを表すＲ，Ｇ，Ｂの変化係数が出力されるように構成されている。この食品調理用のデータベースは、例えば、種々の制御情報と、その制御情報による加熱調理における上記Ｒ，Ｇ，Ｂの変化係数とが対応付けられたルックアップテーブル（ＬＵＴ）からなる。この食品調理用のデータベースは、本実施形態では、携帯端末２の画像処理部２５が保持している。
【００５７】
画像処理部２５は、操作部２１により設定された制御情報に対応する上記Ｒ，Ｇ，Ｂの変化係数を上記食品調理用のデータベースから抽出する。画像処理部２５は、抽出した上記Ｒ，Ｇ，Ｂの変化係数を上記変換画像のＲ，Ｇ，Ｂの数値に乗算して、食品７の画像を生成する。この画像は、電子レンジ３の外部環境下における画像として生成されている。このため、図５に示されるように、図４に比べて明るい画像として、携帯端末２の表示部２６に表示される。
【００５８】
本実施形態において、受信部２４が第１取得部の一例に相当し、画像処理部２５が第２取得部の一例に相当し、撮影部２３が第３取得部の一例に相当し、画像処理部２５が画像生成部の一例に相当し、食品７が調理対象物の一例に相当し、撮影部２３により撮影された食品７の画像が第１画像の一例に相当し、画像処理部２５により生成された食品７の画像が第２画像の一例に相当する。また、本実施形態において、携帯端末２及び電子レンジ３が加熱調理システムの一例を構成する。
【００５９】
図６は、第１実施形態の携帯端末２の動作を示すフローチャートである。図７は、第１実施形態の電子レンジ３の動作を示すフローチャートである。
【００６０】
図６において、まず、操作部２１により設定された制御情報が、制御情報として送信部２２により電子レンジ３に向けて送信される（ステップＳ１）。続いて、調理部情報の取得を指示する指示信号が、送信部２２により電子レンジ３に向けて送信される（ステップＳ２）。次いで、受信部２４は、電子レンジ３から送信された調理部情報を受信し、画像処理部２５に出力する（ステップＳ３）。続いて、撮影部２３により、電子レンジ３の調理部３２に配置された食品が撮影される（ステップＳ４）。
【００６１】
次いで、画像処理部２５により、内蔵する不揮発性メモリに保持している環境情報が取得される（ステップＳ５）。続いて、画像処理部２５によって、撮影部２３により撮影された食品の画像が、電子レンジ３の外部環境下でユーザが見た場合の画像に変換され、さらに、変換された画像から、加熱調理が完了した時点での食品７の画像が予測され、予測された食品７の画像が生成される（ステップＳ６）。次いで、画像処理部２５により生成された画像が表示部２６に表示される（ステップＳ７）。
【００６２】
図７において、まず、携帯端末２から制御情報として送信された制御情報が、受信部３１により受信され、受信された制御情報が調理制御部３３に出力される（ステップＳ１１）。続いて、調理部情報の取得を指示する指示信号が、受信部３１により受信され、受信された指示信号が調理部情報取得部３５に出力される（ステップＳ１２）。受信部３１から出力された指示信号に応じて、調理部情報取得部３５により、光源情報を含む調理部情報が取得されて、送信部３６に出力される（ステップＳ１３）。
【００６３】
次いで、送信部３６は、調理部情報取得部３５から出力された調理部情報を携帯端末２に向けて送信する（ステップＳ１４）。次いで、調理制御部３３に制御されて、調理部３２は、制御情報として受信した制御情報に基づき、食品の加熱調理を行う（ステップＳ１５）。なお、制御情報を受信したステップＳ１１の次に、ステップＳ１５の加熱調理を実行するようにしてもよい。
【００６４】
以上のように、第１実施形態によれば、加熱調理完了時の食品７の外部環境下における画像が、表示部２６により表示される。したがって、表示部２６に表示された画像によって、ユーザは、食品７の加熱調理完了時の状態を確認することができる。その結果、電子レンジ３の使い勝手を向上することができる。また、ユーザの利便性を高めることができる。
【００６５】
（第２実施形態）
図８は、第２実施形態の携帯端末２ａの電気的構成を示すブロック図である。図９は、第２実施形態の電子レンジ３ａの電気的構成を示すブロック図である。第２実施形態では、第１実施形態と同様の要素に対して、同様の符号が割り当てられている。以下、第１実施形態との相違点を中心に、第２実施形態が説明される。
【００６６】
図８に示される第２実施形態の携帯端末２ａは、図１に示される第１実施形態の携帯端末２において、操作部２１に代えて操作部２１ａを備え、画像処理部２５に代えて画像処理部２５ａを備え、撮影部を備えない。第２実施形態の電子レンジ３ａは、第１実施形態の電子レンジ３において、受信部３１に代えて受信部３１ａを備え、さらに、撮影部３７を備える。
【００６７】
携帯端末２ａの操作部２１ａは、操作部２１の機能に加えて、ユーザに操作されて、撮影部３７による撮影を指示する指示信号を送信部２２に出力する。送信部２２は、操作部２１ａから出力された指示信号を電子レンジ３に向けて送信する。電子レンジ３ａの受信部３１ａは、指示信号を受信すると、受信した指示信号を撮影部３７に出力する。撮影部３７は、受信部３１ａから指示信号が出力されると、調理部３２に配置された食品７を撮影する。撮影部３７は、撮影した食品７の画像を送信部３６に出力する。送信部３６は、撮影部３７から出力された食品７の画像を携帯端末２ａに送信する。
【００６８】
携帯端末２ａの受信部２４は、食品７の画像を受信すると、受信した食品７の画像を画像処理部２５ａに出力する。画像処理部２５ａは、撮影部２３（図２）で撮影した画像（第１実施形態）に代えて受信部２４から出力された食品７の画像を、電子レンジ３の外部環境下で見た画像に変換し、この変換した画像から、加熱調理が完了した時点での食品７の画像を予測して、食品７の画像を生成する。
【００６９】
本実施形態において、受信部２４が第１取得部の一例に相当し、画像処理部２５ａが第２取得部の一例に相当し、受信部２４が第３取得部の一例に相当し、画像処理部２５ａが画像生成部の一例に相当し、食品７が調理対象物の一例に相当し、撮影部３７により撮影された食品７の画像が第１画像の一例に相当し、画像処理部２５ａにより生成された食品７の画像が第２画像の一例に相当する。また、本実施形態において、携帯端末２ａ及び電子レンジ３ａが加熱調理システムの一例を構成する。
【００７０】
図１０は、第２実施形態の携帯端末２ａの動作を示すフローチャートである。図１１は、第２実施形態の電子レンジ３ａの動作を示すフローチャートである。図１０、図１１において、第１実施形態の図６、図７と同一ステップには同一符号が付され、説明は適宜省略される。
【００７１】
図１０において、ステップＳ２に続いて、撮影を指示する指示信号が送信部２２により電子レンジ３に向けて送信され（ステップＳ２１）、ステップＳ３に進む。ステップＳ３に続いて、受信部２４により、撮影部３７により撮影された食品７の画像が受信されて（ステップＳ２２）、ステップＳ５に進む。
【００７２】
図１１において、ステップＳ１４に続いて、撮影部３７による画像の撮影を指示する指示信号が、受信部３１により受信され、受信した指示信号が、撮影部３７に出力される（ステップＳ３１）。続いて、撮影部３７は、指示信号に応じて、調理部３２に配置された食品７を撮影する（ステップＳ３２）。次いで、送信部３６は、撮影部３７により撮影された食品７の画像を携帯端末２に向けて送信し（ステップＳ３３）、ステップＳ１５に進む。
【００７３】
以上のように、第２実施形態によれば、加熱調理完了時の食品７の外部環境下における画像が、表示部２６により表示される。したがって、表示部２６に表示された画像によって、ユーザは、食品７の加熱調理完了時の状態を確認することができる。その結果、電子レンジ３の使い勝手を向上することができる。また、ユーザの利便性を高めることができる。
【００７４】
また、第２実施形態では、電子レンジ３ａに設けられた撮影部３７により撮影された食品７の画像が携帯端末２ａに送信される。したがって、電子レンジ３に設けられた撮影部３７が使用されるため、調理部３２に配置された食品７を直接撮影することができる。その結果、電子レンジ３の窓を通して撮影する第１実施形態に比べて、食品７の画像を好適に取得することができる。
【００７５】
（第３実施形態）
図１２は、第３実施形態の携帯端末２の動作を示すフローチャートである。図１３は、第３実施形態の電子レンジ３の動作を示すフローチャートである。図１２、図１３において、第１実施形態の図６、図７と同一ステップには同一符号が付され、説明は適宜省略される。なお、第３実施形態の携帯端末は、図２に示される第１実施形態の携帯端末２と同様に構成されている。また、第３実施形態の電子レンジは、図３に示される第１実施形態の電子レンジ３と同様に構成されている。
【００７６】
図２において、第３実施形態では、ユーザは、表示部２６に表示された加熱完了時の食品７の画像を見て、追加の加熱調理を行いたい場合には、操作部２１を操作して、追加の制御情報を設定する。操作部２１により、追加の制御情報として、例えば加熱電力が６００Ｗから７５０Ｗに変更され、或いは、例えば加熱時間が５分から７分に延長される。操作部２１は、追加の制御情報が設定されると、設定された追加の制御情報を送信部２２に出力する。送信部２２は、操作部２１から出力された追加の制御情報（第２制御情報の一例に相当）を電子レンジ３に向けて送信する。
【００７７】
図３において、第３実施形態では、受信部３１は、携帯端末２から送信された追加の制御情報を調理制御部３３に出力する。調理制御部３３は、追加の制御情報に基づき調理部３２を制御し、食品７に対して追加の加熱調理を行う。
【００７８】
図１２において、ステップＳ７に続いて、ユーザにより操作部２１が操作されて設定された追加の制御情報が、送信部２２により、電子レンジ３に向けて送信される（ステップＳ４１）。
【００７９】
図１３において、ステップＳ１５に続いて、受信部３１により、追加の制御情報が受信され、受信した追加の制御情報が調理制御部３３に出力される（ステップＳ５１）。続いて、調理制御部３３は、追加の制御情報に基づき調理部３２を制御して、追加の加熱調理が行われる（ステップＳ５２）。
【００８０】
以上のように、第３実施形態によれば、加熱調理完了時の食品７の外部環境下における画像が、表示部２６により表示される。したがって、表示部２６に表示された画像によって、ユーザは、食品７の加熱調理完了時の状態を確認することができる。その結果、電子レンジ３の使い勝手を向上することができる。また、ユーザの利便性を高めることができる。
【００８１】
また、第３実施形態では、携帯端末２の送信部２２により、追加の制御情報が電子レンジ３に送信される。したがって、加熱調理が完了したときの食品７の状態が不十分である場合でも、食品７に対して追加の加熱調理を行うことができる。その結果、電子レンジ３の使い勝手をさらに向上することができる。また、ユーザの利便性をさらに高めることができる。
【００８２】
（第４実施形態）
図１４は、第４実施形態の携帯端末２ｂ及びアプリケーションサーバ４の電気的構成を示すブロック図である。なお、第４実施形態の電子レンジは、図３に示される第１実施形態の電子レンジ３と同様に構成されている。第４実施形態では、第１実施形態と同様の要素に対して、同様の符号が割り当てられている。以下、第１実施形態との相違点を中心に、第４実施形態が説明される。
【００８３】
図１４に示される第４実施形態の携帯端末２ｂは、図１に示される第１実施形態の携帯端末２において、画像処理部２５に代えて画像処理指示部２７を備える。また、アプリケーションサーバ４は、受信部４１、画像処理部４２、送信部４３を備える。本実施形態において、画像処理部４２が画像生成部の一例に相当する。また、本実施形態において、携帯端末２ｂ、電子レンジ３及びアプリケーションサーバ４は、加熱調理システムの一例を構成する。
【００８４】
携帯端末２ｂの画像処理指示部２７は、第１実施形態の画像処理部２５と同様に、内蔵する不揮発性メモリに保持している電子レンジ３の外部環境の撮影に関連する環境情報を取得する。画像処理指示部２７は、操作部２１により設定された制御情報、電子レンジ３から送信された調理部情報、画像処理指示部２７が取得した環境情報、撮影部２３により撮影された食品７の画像を、通信ネットワーク６（図１）を介して、アプリケーションサーバ４に送信する。
【００８５】
アプリケーションサーバ４の受信部４１は、携帯端末２ｂから送信されたデータを受信し、受信したデータを画像処理部４２に出力する。画像処理部４２は、第１実施形態で説明された食品調理用のデータベースを保持する。アプリケーションサーバ４の画像処理部４２は、画像処理指示部２７から送信された制御情報、調理部情報、環境情報に基づき、撮影部２３により撮影された食品７の画像から、上記データベースを用いて、加熱調理が完了した時点での食品７の外部環境における画像を生成する。すなわち、アプリケーションサーバ４の画像処理部４２は、第１実施形態の携帯端末２の画像処理部２５と同様の機能を有する。
【００８６】
画像処理部４２は、生成した画像を送信部４３に出力する。アプリケーションサーバ４の送信部４３は、通信ネットワーク６（図１）を介して、画像処理部４２により生成された画像を携帯端末２ｂの画像処理指示部２７に送信する。携帯端末２ｂの画像処理指示部２７は、受信した画像を表示部２６に出力する。
【００８７】
代替的に、アプリケーションサーバ４の画像処理部４２は、生成した画像をアプリケーションサーバ４に保存してもよい。そして、アプリケーションサーバ４の送信部４３は、画像処理部４２により生成された画像を携帯端末２ｂに送信するのに代えて、画像が保存されているアプリケーションサーバ４のリンク先を携帯端末２ｂに送信してもよい。この場合には、携帯端末２ｂは、そのリンク先にアクセスして、アプリケーションサーバ４の画像処理部４２により生成された画像を取得すればよい。
【００８８】
図１５は、第４実施形態の携帯端末２ｂの動作を示すフローチャートである。図１６は、第４実施形態におけるアプリケーションサーバ４の画像処理部４２の動作を示すフローチャートである。図１５において、第１実施形態の図６と同一ステップには同一符号が付され、説明は適宜省略される。
【００８９】
図１５において、ステップＳ５に続き、画像処理指示部２７は、操作部２１により設定された制御情報、電子レンジ３から送信された調理部情報、画像処理指示部２７が取得した環境情報、撮影部２３により撮影された食品７の画像を、通信ネットワーク６を介して、アプリケーションサーバ４に送信する（ステップＳ６１）。次いで、画像処理指示部２７は、通信ネットワーク６を介して、アプリケーションサーバ４により生成され、送信された画像を受信し（ステップＳ６２）、受信された画像が表示部２６に表示される（ステップＳ７）。
【００９０】
図１６において、受信部４１は、まず、通信ネットワーク６を介して、携帯端末２ｂから送信された、制御情報、調理部情報、環境情報、撮影部２３により撮影された食品７の画像を、それぞれ受信し、受信したデータを画像処理部４２に出力する（ステップＳ７１）。続いて、画像処理部４２は、制御情報、調理部情報、環境情報に基づき、上記食品調理用のデータベースを用いて、撮影部２３により撮影された食品７の画像から、加熱調理が完了した時点での食品７の外部環境下における画像を生成し、生成した画像を送信部４３に出力する（ステップＳ７２）。次いで、送信部４３は、通信ネットワーク６を介して、画像処理部４２から出力された画像を携帯端末２ｂに送信する（ステップＳ７３）。
【００９１】
以上のように、第４実施形態によれば、加熱調理完了時の食品７の外部環境下における画像が、表示部２６により表示される。したがって、表示部２６に表示された画像によって、ユーザは、食品７の加熱調理完了時の状態を確認することができる。その結果、電子レンジ３の使い勝手を向上することができる。また、ユーザの利便性を高めることができる。
【００９２】
また、第４実施形態では、撮影部２３により撮影された食品７の画像から、加熱調理が完了した時点での食品７の外部環境下における画像を、アプリケーションサーバ４の画像処理部４２により生成している。したがって、携帯端末の画像処理部を使用する場合に比べて、携帯端末２ｂの処理負荷を低減することができる。
【００９３】
（第５実施形態）
上記各実施形態では、携帯端末２等の画像処理部２５等は、一般的な台所の蛍光灯の色に関する情報を環境情報として保持している。代替的に、画像処理部２５等に代えて、アプリケーションサーバ４が、一般的な台所の蛍光灯の色に関する情報を環境情報として保持しておいてもよい。この場合には、携帯端末２等は、通信ネットワーク６を介してアプリケーションサーバ４にアクセスし、環境情報を取得すればよい。
【００９４】
さらに代替的に、携帯端末２等の画像処理部２５等は、例えば、撮影部２３の撮影に関する情報としてオートホワイトバランスの情報に基づき、外部環境の照明光の色に関する情報を環境情報として取得してもよい。代替的に、撮影部２３が起動したときに検知する周囲の明るさ情報を簡易に環境情報として利用するようにしてもよい。
【００９５】
さらに代替的に、アプリケーションサーバ４は、撮影画像の色情報と環境情報とが対応付けられたデータベースを保持してもよい。また、携帯端末２等は、撮影部２３の撮影画像をアプリケーションサーバ４に送信し、アプリケーションサーバ４は、送信された撮影画像の色情報から、保持しているデータベースに基づき、環境情報を取得して、携帯端末２等に送信してもよい。
【００９６】
さらに代替的に、画像処理部２５等は、太陽光による昼間の色に関する情報、蛍光灯の種々の色に関する情報を保持しておいてもよい。そして、画像処理部２５等は、操作部２１において、画像処理部２５等が保持している情報のうちから、ユーザが選択した情報を環境情報として取得してもよい。
【００９７】
さらに代替的に、電子レンジの表面に基準色で覆われた領域が設けられ、この領域が撮影された画像に基づき、外部環境の照明光の色に関する情報が取得されるようにしてもよい。以下、この実施形態が説明される。
【００９８】
図１７は、第５実施形態の携帯端末２ｃの電気的構成を示すブロック図である。図１８は、第５実施形態の電子レンジ３ｂの電気的構成を示すブロック図である。図１９は、第５実施形態の電子レンジ３ｂの外観を概略的に示す斜視図である。第５実施形態では、第１実施形態と同様の要素に対して、同様の符号が割り当てられている。以下、第１実施形態との相違点を中心に、第５実施形態が説明される。
【００９９】
図１７に示される第５実施形態の携帯端末２ｃは、図１に示される第１実施形態の携帯端末２において、画像処理部２５に代えて画像処理部２５ｃを備える。図１８に示される第５実施形態の電子レンジ３ｂは、第１実施形態の電子レンジ３において、調理部情報取得部３５に代えて、調理部情報取得部３５ｂを備える。また、第５実施形態の電子レンジ３ｂは、図１９に示されるように、前面に所定の基準色で覆われた基準領域３８を有する。基準領域３８は、専用に設けられた領域でもよい。代替的に、基準領域３８は、電子レンジ３ｂのデザインとして所定の基準色により塗装された塗装範囲の一部に設定された領域でもよい。基準領域３８は、携帯端末２ｃの撮影部２３により食品７が撮影されたときに、撮影領域に含まれる位置に設けられていることが望ましい。
【０１００】
電子レンジ３ｂの調理部情報取得部３５ｂは、調理部情報取得部３５が保存する情報に加えて、基準領域３８の位置情報と、基準色の色情報とを、調理部情報として保存している。基準色の色情報は、例えば（Ｒ，Ｇ，Ｂ）＝（１７８，０，９）である。電子レンジ３ｂの送信部３６は、調理部情報取得部３５ｂから出力される基準領域３８の位置情報と、基準色の色情報とを含む調理部情報を、携帯端末２ｃに向けて送信する。
【０１０１】
携帯端末２ｃの画像処理部２５ｃは、受信部２４から出力される調理部情報から、基準領域３８の位置情報と、基準色の色情報とを取得する。画像処理部２５ｃは、基準領域３８の位置を撮影部２３により撮影された画像から抽出する。画像処理部２５ｃは、基準領域３８の画像の色情報と、基準色の色情報とを比較する。画像処理部２５ｃは、その比較結果に基づき、標準光源で照明された画像から電子レンジ３ｂの外部環境下における照明光で照明された画像に変換するためのＲ，Ｇ，Ｂの各値の補正係数を、環境情報として取得する。
【０１０２】
本実施形態において、受信部２４が第１取得部の一例に相当し、画像処理部２５ｃが第２取得部の一例に相当し、撮影部２３が第３取得部の一例に相当し、受信部２４が第４取得部の一例に相当し、画像処理部２５ｃが画像生成部の一例に相当し、食品７が調理対象物の一例に相当し、撮影部２３により撮影された食品７の画像が第１画像の一例に相当し、画像処理部２５ｃにより生成された食品７の画像が第２画像の一例に相当する。また、本実施形態において、携帯端末２ｃ及び電子レンジ３ｂが加熱調理システムの一例を構成する。
【０１０３】
図２０は、第５実施形態の携帯端末２ｃの動作を示すフローチャートである。図２０において、第１実施形態の図６と同一ステップには同一符号が付され、説明は適宜省略される。なお、第５実施形態の電子レンジ３ｂの動作は、調理部情報取得部３５ｂが保存する基準領域３８の位置情報と、基準色の色情報とを、調理部情報に含めて送信部３６が携帯端末２ｃに向けて送信すること以外は、図７に示される第１実施形態の電子レンジ３の動作と同様である。
【０１０４】
図２０において、ステップＳ２に続いて、基準領域３８の位置情報及び基準色の色情報を含む調理部情報が受信される（ステップＳ８１）。次いで、撮影部２３により電子レンジ３ｂの基準領域３８が撮影され（ステップＳ８２）、ステップＳ４に進む。ステップＳ４に続いて、基準領域３８の画像と、基準色の色情報とに基づき、画像処理部２５ｃにより環境情報が取得され（ステップＳ８３）、ステップＳ６に進む。
【０１０５】
以上のように、第５実施形態によれば、加熱調理完了時の食品７の外部環境下における画像が、表示部２６により表示される。したがって、表示部２６に表示された画像によって、ユーザは、食品７の加熱調理完了時の状態を確認することができる。その結果、電子レンジ３の使い勝手を向上することができる。また、ユーザの利便性を高めることができる。
【０１０６】
また、第５実施形態では、電子レンジ３ｂは、その表面に基準色で覆われた基準領域３８を有する。画像処理部２５ｃは、撮影部２３により基準領域３８を撮影した画像と、基準色に関する基準情報とに基づき、環境情報を取得する。したがって、環境情報を好適に取得することができる。
【０１０７】
なお、基準領域３８が、携帯端末２ｃの撮影部２３により食品７が撮影されたときに、撮影領域に含まれる位置に設けられている場合には、基準領域３８を撮影するステップＳ８２は不要になる。
【０１０８】
（制御プログラムのダウンロードに関する実施形態）
図２１は、携帯端末２，２ａ，２ｂ，２ｃの制御プログラムのダウンロードに関連する構成の一例を示すブロック図である。図２２は、携帯端末２等の動作を示すフローチャートである。図２３は、プログラムサーバ５の動作を示すフローチャートである。図２１では、制御プログラムのダウンロードに関連する構成以外の構成の図示を省略している。図１、図２１〜図２３を用いて、制御プログラムのダウンロードに関する実施形態が説明される。
【０１０９】
図２１において、携帯端末２，２ａ，２ｂ，２ｃは、ネットワーク通信部２８と、記録媒体２９とを備える。ネットワーク通信部２８は、通信ネットワーク６を介して、プログラムサーバ５と通信を行って、制御プログラムのダウンロードを要求し、ダウンロードされた制御プログラムを受信する。ネットワーク通信部２８は、受信した制御プログラムを記録媒体２９に保存する。記録媒体２９は、ハードディスクでもよい。代替的に、記録媒体２９は、光ディスクや光磁気ディスクなどの着脱可能なメディアでもよい。さらに代替的に、記録媒体２９は、不揮発性メモリ等の半導体メモリでもよい。
【０１１０】
図２２において、携帯端末２等のネットワーク通信部２８は、通信ネットワーク６を介して、プログラムサーバ５に制御プログラムのダウンロードの要求を送信する（ステップＳ９１）。次いで、ネットワーク通信部２８は、プログラムサーバ５から送信された制御プログラムを受信し、受信した制御プログラムを記録媒体２９に保存する（ステップＳ９２）。
【０１１１】
図２３において、プログラムサーバ５は、携帯端末２等のネットワーク通信部２８から送信された制御プログラムのダウンロードの要求を受信する（ステップＳ１０１）。次いで、プログラムサーバ５は、ネットワーク通信部２８に、制御プログラムを送信する（ステップＳ１０２）。
【０１１２】
例えば以上の手順によってダウンロードされた制御プログラムによって、携帯端末２等の上記各実施形態の機能が実現される。
【０１１３】
（その他）
上記第１、第２、第３、第５実施形態では、携帯端末２等の画像処理部２５等が、上記食品調理用のデータベースを保持している。代替的に、上記食品調理用のデータベースをアプリケーションサーバ４（図１）が保持しておいてもよい。この場合には、携帯端末２等は、通信ネットワーク６（図１）を介してアプリケーションサーバ４にアクセスし、アプリケーションサーバ４から必要なデータのみを取り込むようにすればよい。
【０１１４】
上記第１〜第５実施形態では、電子レンジ３等の調理部情報取得部３５等は、電子レンジ３等の光源情報を調理部情報として保存している。代替的に、調理部情報取得部３５等は、光源情報に代えて、電子レンジ３等の品番情報（型番情報）を保存してもよい。そして、アプリケーションサーバ４（図１）は、品番情報に対応付けられた光源情報を含む光源情報データベースを保持していてもよい。この場合には、携帯端末２等は、通信ネットワーク６（図１）を介してアプリケーションサーバ４にアクセスして、電子レンジ３等から送信された品番情報に対応する光源情報を調理部情報として取得すればよい。また、上記第５実施形態における基準領域３８の位置情報および基準色の色情報も、同様に、品番情報に基づいてアプリケーションサーバ４から取得してもよい。
【０１１５】
上記第１〜第５実施形態では、上記食品調理用のデータベースは、例えば、種々の制御情報と、その制御情報による加熱調理における上記Ｒ，Ｇ，Ｂの変化係数とが対応付けられたＬＵＴからなる。代替的に、上記食品調理用のデータベースは、例えば、種々の制御情報に対して上記Ｒ，Ｇ，Ｂの変化係数が関数で対応付けられていてもよい。また、上記Ｒ，Ｇ，Ｂの変化係数として、Ｒ，Ｇ，Ｂの数値に代えて、色を表す他の数値を使用してもよい。
【０１１６】
上記第１〜第５実施形態の変形形態として、電子レンジ３等の調理部情報取得部３５等は、温度センサを有してもよい。そして、調理部情報取得部３５等は、食品７の温度と、食品７が配置された調理部３２の温度とを、調理部情報として、さらに取得してもよい。
【０１１７】
この変形形態では、上記食品調理用のデータベースとして、例えば、食品の種々の温度と、調理部の種々の温度と、種々の制御情報とに対して、上記Ｒ，Ｇ，Ｂの変化係数が対応付けられたＬＵＴを使用すればよい。これによって、画像処理部２５等は、加熱調理が完了した時点での調理状態の予測精度を向上することができる。
【０１１８】
また、この変形形態において、電子レンジ３等は、食品７の加熱調理において、食品７の温度や調理部３２の温度を含む調理部情報を２回以上送信してもよい。例えば、電子レンジ３等は、加熱調理の開始前と、加熱調理の開始後との２回、食品７の温度や調理部３２の温度を取得して、携帯端末２等に送信してもよい。この場合、携帯端末２等の画像処理部２５等は、電子レンジ３等から調理部情報が送信される度に、画像を生成して表示部２６に表示してもよい。これによって、加熱完了時の食品７の調理状態を、さらに精度良く、表示部２６に表示することができる。さらに、携帯端末２等は、表示部２６に表示される画像が更新される度に、第３実施形態のように、追加の制御情報を電子レンジ３等に送信してもよい。そして、電子レンジ３等は、送信された追加の制御情報に基づき、追加の加熱調理を行ってもよい。これによって、電子レンジ３等は、食品７の加熱調理をさらに好適に行うことができる。
【０１１９】
また、電子レンジ３等の調理部情報取得部３５等は、重量センサを有し、食品７の重量を調理部情報としてさらに取得してもよい。この場合には、上記食品調理用のデータベースは、食品の種々の重量をデータとして備えればよい。さらにまた、携帯端末２等の操作部２１等は、食品の種類を設定するように構成されていてもよい。この場合には、上記食品調理用のデータベースは、食品の種々の種類をデータとして備えればよい。これによって、画像処理部２５等は、加熱調理が完了した時点での調理状態の予測精度をさらに向上することができる。
【０１２０】
上記第１、第３〜第５実施形態では、携帯端末２等の撮影部２３は、加熱調理の完了前に、調理部３２に配置された食品７を、２回以上撮影してもよい。同様に、上記第２実施形態では、電子レンジ３ａの撮影部３７は、加熱調理の完了前に、調理部３２に配置された食品７を、２回以上撮影して、携帯端末２ａに送信してもよい。例えば、撮影部２３または撮影部３７は、加熱調理の開始前と、加熱調理の開始後との２回、食品７を撮影してもよい。この場合、携帯端末２等の画像処理部２５等は、食品７の撮影画像を取得する度に、画像を生成して表示部２６に表示してもよい。これによって、加熱完了時の食品７の調理状態を、さらに精度良く、表示部２６に表示することができる。さらに、携帯端末２等は、表示部２６に表示される画像が更新される度に、第３実施形態のように、追加の制御情報を電子レンジ３等に送信してもよい。そして、電子レンジ３等は、送信された追加の制御情報に基づき、追加の加熱調理を行ってもよい。これによって、電子レンジ３等は、食品７の加熱調理をさらに好適に行うことができる。
【０１２１】
上記第１〜第５実施形態では、携帯端末２等と電子レンジ３等とは、例えば無線通信により通信可能に構成されているが、有線通信でもよい。例えば、電子レンジ３等は、電力線通信を介して通信ネットワーク６（図１）に接続可能に構成されてもよい。この場合には、携帯端末２等は、通信ネットワーク６及び電力線通信を介して、電子レンジ３等と通信可能になる。また、例えば、電子レンジ３等は、電力線通信を介して家庭内ネットワーク（図示省略）にアクセス可能に構成され、携帯端末２等も、家庭内ネットワークにアクセス可能に構成されてもよい。この場合でも、携帯端末２等は、家庭内ネットワーク及び電力線通信を介して、電子レンジ３等と通信可能になる。
【０１２２】
上記第１、第３、第５実施形態では、電子レンジ３等は、携帯端末２等と通信可能に構成されているが、電子レンジが撮影部、画像処理部及び表示部を備えてもよい。この形態では、携帯端末は不要になる。
【０１２３】
上記第２実施形態では、電子レンジ３ａは、携帯端末２ａと通信可能に構成されているが、電子レンジ３ａが画像処理部及び表示部を備えてもよい。この形態では、携帯端末２ａは不要になる。
【０１２４】
上記第４実施形態では、電子レンジ３は、携帯端末２ｂと通信可能に構成されているが、電子レンジが、通信ネットワーク６を介してアプリケーションサーバ４と通信可能に構成されてもよい。この形態では、携帯端末２ｂは不要になる。
【０１２５】
上記第１〜第５実施形態では、加熱調理器の一例として電子レンジを用いて説明されているが、加熱調理器は、電子レンジに限られず、オーブンレンジやグリルヒーターなどの食品の加熱調理を行う機器であればよい。
【０１２６】
上記第１実施形態において、携帯端末２の各部の機能は、制御プログラムが保存されたメモリと、このメモリに保存された制御プログラムにしたがって動作するＣＰＵとによって、実現される。例えば、ＣＰＵは、操作部２１に対する操作内容を読み取り、送信部２２を制御して、読み取った操作内容に対応する情報を電子レンジ３に向けて送信する。また、ＣＰＵは、受信部２４を制御して受信部２４が受信した内容を読み取る。そして、ＣＰＵは、操作部２１に対する操作内容と、受信部２４が受信した受信内容と、撮影部２３からの情報とを用いて、画像処理部２５として機能する。さらに、ＣＰＵは、表示部２６を制御して、画像処理部２５の機能として生成した画像を表示部２６に表示する。上記第１実施形態以外の実施形態においても、同様に、携帯端末の各部の機能は、メモリとＣＰＵとによって実現される。
【産業上の利用可能性】
【０１２７】
本開示に係る制御プログラム、情報処理装置、情報処理端末、加熱調理器及び加熱調理システムは、ユーザが、調理対象物の調理状態を確認することができ、加熱調理器の使い勝手を向上することができ、ユーザの利便性を高めることができるため、通信を利用して加熱調理器を制御する制御プログラム、情報処理装置、情報処理端末、当該情報処理端末により制御される加熱調理器、情報処理端末と加熱調理器とを備える加熱調理システム及び上記制御プログラムをダウンロード可能に備える情報処理装置に有用である。
【符号の説明】
【０１２８】
２，２ａ，２ｂ，２ｃ  携帯端末
３，３ａ，３ｂ  電子レンジ
４  アプリケーションサーバ
５  プログラムサーバ
２２  送信部
２３  撮影部
２４  受信部
２５，２５ａ，２５ｃ  画像処理部
２６  表示部
２７  画像処理指示部
３１，３１ａ  受信部
３２  調理部
３５，３５ｂ  調理部情報取得部
３６  送信部
３７  撮影部
３８  基準領域
４１  受信部
４２  画像処理部
４３  送信部
【図１】
2014077581.tif 000003
【図２】
2014077581.tif 000004
【図３】
2014077581.tif 000005
【図４】
2014077581.tif 000006
【図５】
2014077581.tif 000007
【図６】
2014077581.tif 000008
【図７】
2014077581.tif 000009
【図８】
2014077581.tif 000010
【図９】
2014077581.tif 000011
【図１０】
2014077581.tif 000012
【図１１】
2014077581.tif 000013
【図１２】
2014077581.tif 000014
【図１３】
2014077581.tif 000015
【図１４】
2014077581.tif 000016
【図１５】
2014077581.tif 000017
【図１６】
2014077581.tif 000018
【図１７】
2014077581.tif 000019
【図１８】
2014077581.tif 000020
【図１９】
2014077581.tif 000021
【図２０】
2014077581.tif 000022
【図２１】
2014077581.tif 000023
【図２２】
2014077581.tif 000024
【図２３】
2014077581.tif 000025